(57)【要約】  【課題】本発明は、競馬、競輪、競艇、オート等のレース情報を、ネットワークを通じて提供するレース情報提供システムに関し、レース終了後の適時に所望されるレース情報を提供可能として利便性の向上を図ることを目的とする。  【解決手段】、投票券購入者のユーザＩＤ、購入した投票券のレースを特定したレースＩＤが特定された投票券情報を格納する投票券情報ＤＢ３１および映像編集手段２６でレースＩＤと関連付けてレース単位毎の個別レース映像に分割編集された個別レース映像を格納する映像ＤＢ３２を備え、配信ファイル作成手段２８においてネットワーク１２上の所定の端末より少なくとも所望のレースＩＤを特定した個別レース映像の配信要求があったときに、当該レースＩＤに基づいて映像ＤＢ３２より該当の個別レース映像を抽出して通信手段２３を介して当該端末に送信させる構成とする。  【選択図】  図２
2005293073.tif 000002
【特許請求の範囲】
【請求項１】
所定数の端末、当該端末より投票券が購入されたことの情報を保有する所定数の投票券購入システムおよび購入される投票券の対象となるレースを主催して情報を管理する所定数の主催元レース情報管理システムに対し、相互にアクセス自在なネットワークに接続されるレース情報提供システムであって、
前記ネットワークを介して前記端末、投票券購入システムおよび主催元レース情報管理システムとの間でデータ授受を行わせるための通信手段と、
前記投票券購入システムより保有する前記投票券購入情報を取得し、少なくとも投票券購入者のユーザＩＤ、購入した投票券のレースを特定したレースＩＤが特定されて格納する投票券情報格納手段と、
前記主催元レース情報管理システムより、行われたレース映像を取得し、少なくとも前記レースＩＤと関連付けてレース単位毎の個別レース映像に分割編集する映像編集手段と、
前記映像編集手段で編集された前記レースＩＤと関連付けられた個別レース映像を格納する映像情報格納手段と、
投票券購入者と関連する前記端末より少なくとも所望のレースＩＤを特定した個別レース映像の配信要求があったときに、当該レースＩＤに基づいて前記映像情報格納手段より該当の個別レース映像を抽出して前記通信手段を介して当該端末に送信するための配信ファイルを作成する配信ファイル作成手段と、
を有することを特徴とするレース情報提供システム。
【請求項２】
請求項１記載のレース情報提供システムであって、前記レースＩＤは、レースを主催する主催元、レースが行われたレース場、レース日、レース番号と関連付けられていることを特徴とするレース情報提供システム。
【請求項３】
請求項１または２記載のレース情報提供システムであって、前記投票券購入システムより取得した投票券購入情報を、少なくとも投票券購入者のユーザＩＤ、購入した投票券のレースを特定したレースＩＤ、購入投票券の投票内容および購入金額を特定して前記投票券情報格納手段に格納させる投票券情報編集手段を備えることを特徴とするレース情報提供システム。
【請求項４】
請求項１〜３の少なくとも何れかに記載のレース情報提供システムであって、
前記主催元レース情報管理システムより、当該主催元で行われたレース結果を取得して格納するレース結果格納手段と、
前記格納したレース結果に基づいて、前記投票券情報格納手段に格納されている前記ユーザＩＤ毎の投票券の結果を判定して当該投票券情報格納手段の内容に反映させて更新する投票券判定手段と、を備え、
前記投票券情報格納手段が、前記投票券購入システムより保有する前記投票券購入情報から、少なくとも投票券購入者のユーザＩＤ、購入した投票券のレースＩＤに加え、さらに購入投票券の投票内容および購入金額を特定して格納すると共に、前記投票券判定手段での判定結果が付加され、
前記配信ファイル作成手段が、前記端末からのレース情報要求に対応して前記判定結果の情報を含むファイルを作成して前記通信手段を介して当該端末に送信させることを特徴とするレース情報提供システム。
【発明の詳細な説明】
【技術分野】
【０００１】
本発明は、競馬、競輪、競艇、オート等のレース情報を、ネットワークを通じて提供するレース情報提供システムに関する。
【背景技術】
【０００２】
近年、インターネットを介して種々の情報を入手できるようになってきており、所定のレースに対する投票券においてもインターネットを介して購入することができるようになっている。投票券購入者は、現地に行けない場合には当該投票券の結果をレース映像で楽しみ、確認するのが殆どであり、実時間でレース映像を観ることができないときには録画によって後に観ることも行われる。このように、後にレース映像を観る場合に利便性の向上が望まれる。
【０００３】
従来、所定のレース情報を、所定時間後に観る場合として録画の場合があり、屋外でも観ることができるためにはモバイルコンピュータ等に録画させることもできるようになっている。このような録画による場合としての提案が以下の特許文献に示されている。
【０００４】
【特許文献１】特開２００３−２７１７７１号公報
【０００５】
上記特許文献には、ネット接続にてレース投票を行なうことに連動して当該レースを放映する番組の予約録画が行なわれることを実現するために、具体的には、携帯型視聴装置（投票券購入者）に対し、サービスを提供するサイトが当該携帯型視聴装置にレース投票券の購入効果を与えると共に、当該投票の対象とされるレースの放送番組を受信するのに必要な番組情報を送信するもので、当該携帯型視聴装置が番組情報に基づき番組開始時にレース番組を記録し、適時に番組再生を行なうということが開示されている。
【発明の開示】
【発明が解決しようとする課題】
【０００６】
しかしながら、上記特許文献に開示されているように、携帯型視聴装置に予約録画のための放送番組情報を提供して録画させることは、当該携帯型視聴装置においては記録のために膨大な記憶領域を必要とさせると共に、番組全体を録画させるために所望のレース情報のみを欲する場合には無駄が多く、また放送時間外のレース情報は録画することができず、利用者側にとっては利便性に欠けるという問題がある。
【０００７】
そこで、本発明は上記課題に鑑みなされたもので、レース終了後の適時に所望されるレース情報を提供可能として利便性の向上を図るレース情報提供システムを提供することを目的とする。
【課題を解決するための手段】
【０００８】
上記課題を解決するために、請求項１の発明では、所定数の端末、当該端末より投票券が購入されたことの情報を保有する所定数の投票券購入システムおよび購入される投票券の対象となるレースを主催して情報を管理する所定数の主催元レース情報管理システムに対し、相互にアクセス自在なネットワークに接続されるレース情報提供システムであって、前記ネットワークを介して前記端末、投票券購入システムおよび主催元レース情報管理システムとの間でデータ授受を行わせるための通信手段と、前記投票券購入システムより保有する前記投票券購入情報を取得し、少なくとも投票券購入者のユーザＩＤ、購入した投票券のレースを特定したレースＩＤが特定されて格納する投票券情報格納手段と、前記主催元レース情報管理システムより、行われたレース映像を取得し、少なくとも前記レースＩＤと関連付けてレース単位毎の個別レース映像に分割編集する映像編集手段と、前記映像編集手段で編集された前記レースＩＤと関連付けられた個別レース映像を格納する映像情報格納手段と、投票券購入者と関連する前記端末より少なくとも所望のレースＩＤを特定した個別レース映像の配信要求があったときに、当該レースＩＤに基づいて前記映像情報格納手段より該当の個別レース映像を抽出して前記通信手段を介して当該端末に送信するための配信ファイルを作成する配信ファイル作成手段と、を有する構成とする。
【０００９】
請求項２の発明では、「前記レースＩＤは、レースを主催する主催元、レースが行われたレース場、レース日、レース番号と関連付けられている」構成であり、
請求項３の発明では、「前記投票券購入システムより取得した投票券購入情報を、少なくとも投票券購入者のユーザＩＤ、購入した投票券のレースを特定したレースＩＤ、購入投票券の投票内容および購入金額を特定して前記投票券情報格納手段に格納させる投票券情報編集手段を備える」構成であり、
請求項４の発明では、「前記主催元レース情報管理システムより、当該主催元で行われたレース結果を取得して格納するレース結果格納手段と、前記格納したレース結果に基づいて、前記投票券情報格納手段に格納されている前記ユーザＩＤ毎の投票券の結果を判定して当該投票券情報格納手段の内容に反映させて更新する投票券判定手段と、を備え、前記投票券情報格納手段が、前記投票券購入システムより保有する前記投票券購入情報から、少なくとも投票券購入者のユーザＩＤ、購入した投票券のレースＩＤに加え、さらに購入投票券の投票内容および購入金額を特定して格納すると共に、前記投票券判定手段での判定結果が付加され、前記配信ファイル作成手段が、前記端末からのレース情報要求に対応して前記判定結果の情報を含むファイルを作成して前記通信手段を介して当該端末に送信させる」構成である。
【発明の効果】
【００１０】
本発明によれば、投票券購入者のユーザＩＤ、購入した投票券のレースを特定したレースＩＤが特定された投票券情報を格納する投票券情報格納手段およびレースＩＤと関連付けてレース単位毎の個別レース映像に分割編集された個別レース映像を格納する映像情報格納手段を備え、所定の端末より少なくとも所望のレースＩＤを特定した個別レース映像の配信要求があったときに、当該レースＩＤに基づいて映像情報格納手段より該当の個別レース映像を抽出して当該端末に送信させることにより、端末側で特に記憶領域を必要とさせず、レース終了後の適時に所望されるレース単位のレース情報を提供可能として利便性を向上させることができるものである。
【発明を実施するための最良の形態】
【００１１】
以下、本発明の最良の実施形態を図により説明する。
図１に、本発明に係るレース情報提供システムが適用されるネットワーク接続状況の模式図を示す。図１において、レース情報提供システムであるレース情報提供サーバ１１が、インターネットや個別ネットワークなどのコンピュータネットワーク１２上に通信自在に接続されるもので、当該ネットワーク１２上には少なくとも所定数（複数でも可）の投票券購入システムである投票券購入サーバ１３、所定数（単数でも可）の主催元レース情報管理システムである主催元サーバ１４（１４Ａ〜１４Ｎ）、所定数（単数でも可）のモバイル端末１５(１５Ａ〜１５Ｎ)が例えば無線方式でアクセス可能な所定数（単数でも可）のネット接続中継サーバ１６（１６Ａ〜１６Ｎ）がアクセス自在に接続されるものである。
【００１２】
なお、ここでは端末として、携帯電話、モバイルコンピュータ、双方向通信可能なモバイルテレビジョン等の無線式のモバイル端末１５(１５Ａ〜１５Ｎ)を示すが、ネット接続中継サーバ１６（１６Ａ〜１６Ｎ）に対して電話回線等を使用する有線式の双方向通信可能なテレビジョンやコンピュータ端末であってもよい。また、最近の通信カラオケシステムでは、全国的に配置された多数のカラオケ演奏装置（あるいは、それが付帯するＧＵＩ環境を備えたディスプレイ付きリモコン装置）のそれぞれが高性能のＣＰＵと大容量の記憶手段を有しているため、双方向通信可能な情報通信端末として利用できる。そして、これらは所定のオンラインネットワークを介してカラオケ情報管理用サーバに接続されており、さらに、この管理用サーバが外部のシステムと接続できるようになっているため、このような通信カラオケシステムに本発明のレース情報提供システムを適応させて組み込むこともできる。
【００１３】
上記投票券購入サーバ１３は、モバイル端末１５（１５Ａ〜１５Ｎ）より所定の主催元が行うレースの投票券をネットワーク１２上で購入可能としたもので、所定のモバイル端末１５（１５Ａ〜１５Ｎ）で購入された投票券に関連した情報を保有する。この場合、当該モバイル端末１５（１５Ａ〜１５Ｎ）の使用者（投票券購入者）に対してユーザＩＤが割り当てられ、投票券購入時に当該ユーザＩＤ、レース場（エリア）コード、レース番号（レースＩＤ）、購入投票内容を特定するもので、投票券購入サーバ１３では適宜購入のレシート（レシート番号）を発行する。
【００１４】
上記主催元サーバ１４（１４Ａ〜１４Ｎ）は、投票券の対象となるレースを主催する主催者が管理するもので、上記投票券購入サーバ１３で購入された投票券と連動してレース現地で購入された投票券を管理するのはもちろん、現地でのレース状況を撮影したレース映像（例えば当日の全レースのレース映像）やレース結果の情報を保有して管理する。上記ネット接続中継サーバ１６（１６Ａ〜１６Ｎ）は、上記ネットワーク１２が例えばインターネットの場合にはプロバイダに相当するもので、上記モバイル端末１５（１５Ａ〜１５Ｎ）を当該ネットワーク１２上にアクセス可能とさせるためのものである。なお、上記レース情報提供サーバ１１、投票券購入サーバ１３および主催元サーバ１４（１４Ａ〜１４Ｎ）においてもネット接続中継サーバ１６（１６Ａ〜１６Ｎ）でネット接続させるものとしてもよい。
【００１５】
そこで、図２に、本発明に係るレース情報提供システムのブロック構成図を示す。図２において、レース情報提供システムとしてのレース情報提供サーバ１１は、適宜、制御手段２１、バス２２、通信手段２３、認証手段２４、ＲＡＭ２５、映像編集手段２６、投票券情報編集手段であるＤＢ（データベース）編集手段２７、配信ファイル作成手段２８、投票券判定手段２９、ＤＢ管理手段３０、投票券情報格納手段である投票券情報ＤＢ３１、映像情報格納手段である映像ＤＢ３２およびレース結果格納手段であるレース結果ＤＢ３３を備える。なお、上記ＤＢ管理手段３０、投票券情報ＤＢ３１、映像ＤＢ３２およびレース結果ＤＢ３３は、当該サーバ内ではなく外部のＤＢサーバまたは外部記憶装置として、全部または個別に設置される構成としてもよい。
【００１６】
上記制御手段２１は、このシステムを統括的に制御するもので、例えば物理的なＣＰＵに制御のためのプログラムが格納され、当該プログラムはＲＡＭ２５等に展開されて実行される。上記通信手段２３は、ネットワーク１２を介して少なくとも投票券購入サーバ１３、主催元サーバ１４（１４Ａ〜１４Ｎ）、ネット接続中継サーバ１６（１６Ａ〜１６Ｎ）を介在させたモバイル端末１５(１５Ａ〜１５Ｎ)と定められた通信プロトコルによって通信を行うためのもので、当該ネットワーク１２の通信方式と整合性をとるための例えば物理的な通信用回路やプラットフォーム等のソフトウエアにより構成される。
【００１７】
上記認証手段２４は、特にモバイル端末１５（１５Ａ〜１５Ｎ）との通信の際にアクセス可能とするか否かの認証を行うもので、一般的なユーザＩＤやパスワードで照合を行うものでよく、ここでは例えばユーザＩＤ（レースＩＤや投票券購入時のレシート番号でもよい）による認証を行うものとして、そのためのプログラムがＲＡＭ２５に展開されて実行される。この場合、適宜認証のためのユーザＩＤが関連付けられている認証テーブルを備えてもよい。上記ＲＡＭ２５は、種々のプログラムを展開、実行させるための作業領域としての役割をするものであり、例えば半導体メモリで構成され、仮想的にハードディスク上に構築される場合をも含む概念である。
【００１８】
上記映像編集手段２６は、主催元サーバ１４（１４Ａ〜１４Ｎ）より、当該主催元で行われたレース映像（例えば主催した当日分の全レースの映像）を取得し、少なくともレースＩＤと関連付けてレース単位毎の個別レース映像に分割編集して映像ＤＢ３２（図４で一例を説明する）に格納するもので、そのためのプログラムがＲＡＭ２５に展開されて実行される。上記ＤＢ編集手段２７は、投票券購入サーバ１３より取得した投票券購入情報を、少なくとも投票券購入者のユーザＩＤ、購入した投票券のレースを特定したレースＩＤ、購入投票券の投票内容および購入金額を特定して投票券情報ＤＢ３１（図３で一例を説明する）に格納させるもので、そのためのプログラムがＲＡＭ２５に展開されて実行される。
【００１９】
上記配信ファイル作成手段２９は、投票券購入者と関連する上記モバイル端末１５（１５Ａ〜１５Ｎ）より所望のレースＩＤを特定した個別レース映像の配信要求があったときに、当該レースＩＤに基づいて映像ＤＢ３２より該当の個別レース映像を抽出して通信手段２３を介して当該モバイル端末１５（１５Ａ〜１５Ｎ）に送信するための配信ファイルを作成し、また、モバイル端末１５（１５Ａ〜１５Ｎ）からのレース情報要求に対応して投票券判定手段２９で判定した結果の情報を含むファイルを作成して通信手段２３を介して当該モバイル端末１５（１５Ａ〜１５Ｎ）に送信させるもので、そのためのプログラムがＲＡＭ２５に展開されて実行される。
【００２０】
上記投票券判定手段２９は、レース結果ＤＢ３３（図５で一例を説明する）に格納したレース結果に基づいて、投票券情報ＤＢ３１に格納されているユーザＩＤ毎の投票券の結果を判定して当該投票券情報ＤＢ３１の内容に反映させて更新するもので、そのためのプログラムがＲＡＭ２５に展開されて実行される。上記ＤＢ管理手段３０は、各投票券情報ＤＢ３１、映像ＤＢ３２およびレース結果ＤＢ３３に対するアクセスや追加、更新を管理するもので、そのためのプログラムがＲＡＭ２５に展開されて実行されるものである。
【００２１】
ここで、図３に図２における投票券情報ＤＢに格納される投票券情報の一例の概念図を示すと共に、図４に図２における映像情報ＤＢに格納される映像情報の一例の概念図を示し、図５に図２におけるレース結果ＤＢに格納されるレース結果情報の一例の概念図示す。なお、各ＤＢに格納されるデータ構造は、あくまでも一例であって、利便性に応じて適宜設計されるものである。図３において、投票券情報ＤＢ３１には、上記投票券購入サーバ１３より取得した情報に基づいて、適宜ＤＢ編集手段２７で編集されたデータが格納されるものであり、例えば主催元コードとレース場コードとが関連付けられ、当該主催元コード毎の各レース場コードとレース日が関連付けられる。レース場コードは、例えば札幌、仙台、新潟、東京、阪神等の各地に応じたコードが適宜付されたものである。
【００２２】
そして、上記レース日に対してレース番号、レースＩＤが関連付けられ、レースＩＤ毎にユーザＩＤ、投票券内容、購入金額、レシート番号、レース結果、払戻金等のユーザ毎に購入された投票券の情報が関連付けられたものである。すなわち、これらの関連付けられた情報は階層構造とされ、図３上の第２階層以降のデータは随時追加される一方で、古くなったデータが随時削除されるものである。
【００２３】
続いて、図４において、映像ＤＢ３２には、主催元サーバ１４（１４Ａ〜１４Ｎ）より取得したレース映像を映像編集手段２６がレースＩＤと関連付けた個別レース映像として分割編集された映像データが格納されるもので、レースＩＤと分割編集した個別レース映像の映像ファイル名とが関連付けられる。そして、映像ファイル名に応じた映像データが例えば別個に格納されるものである。
【００２４】
また、図５において、レース結果ＤＢ３３には、主催元サーバ１４（１４Ａ〜１４Ｎ）より取得したレース結果のデータを格納するもので、例えば主催元コードとレース場コードとが関連付けられ、当該主催元コード毎の各レース場コードとレース日が関連付けられる。そして、各レース場コード毎に、レース日に対するレース番号、レースＩＤ、レース結果および配当金情報が関連付けられて格納されるものである。
【００２５】
次に、図６に、図２における投票券情報ＤＢおよび映像ＤＢに格納される投票券情報および映像情報の作成編集の処理フローチャートを示す。この図６で示す処理においても一例であって、設計者の思想によってプログラム上で適宜設計されるべきものである。図６（Ａ）は図３で示されるような投票券情報の作成編集を行う上記ＤＢ編集手段２７の処理フローチャートであり、まず、通信手段２３を介してネットワーク１２上の投票券購入サーバ１３より投票券購入情報を随時取得し（ステップ（Ｓ）１）、当該取得したデータを一旦ＲＡＭ２５に展開させる。
【００２６】
そこで、主催元コードおよびレース場コードで名寄せしたデータファイルを作成し（Ｓ２）、作成したデータファイルに関連付けられたレースＩＤに、投票券購入者のユーザＩＤ、購入投票券、金額、判定結果、払戻金をそれぞれ関連付けた各データファイルを作成する（Ｓ３）。また、作成したそれぞれのデータファイルを投票券情報ＤＢ３１に格納する（Ｓ４）。一方で、実時間でのレース終了後に、主催元サーバ１４（１４Ａ〜１４Ｎ）よりレース結果を取得したときに（Ｓ５）、レース結果情報をレースＩＤ毎にレース結果ＤＢ３３に格納すると共に、各ユーザＩＤ毎に、対応する各レースにおける購入投票券の当たり、外れを投票券判定手段２９に行わせ、当該判定結果、払戻金を対応するデータファイル（図３における第４階層）に記録して反映させることで更新を行うものである（Ｓ６）。
【００２７】
続いて、図６（Ｂ）は図４で示されるような映像情報の編集を行う映像編集手段２６の処理フローチャートであり、まず、各主催元サーバ１４（１４Ａ〜１４Ｎ）より当日に行われたレースの終了後にレース映像情報のデータを取得し（Ｓ１１）、当該取得したデータを一旦ＲＡＭ２５に展開させる。そこで、レース場コード、レースＩＤ、レース番号を特定したレースＩＤ毎の各レース単位で個別レース映像に分割編集し（Ｓ１２）、当該分割編集した各レースＩＤ毎の個別レース情報のデータに映像ファイル名を付して映像ＤＢ３２に格納すると共に、レースＩＤと関連付けた映像ファイル名を映像ＤＢ３２に格納するものである（Ｓ１３）。
【００２８】
次に、図７に、本発明に係るレース情報提供の処理フローチャートを示す。まず、所定の投票券購入者に関連するモバイル端末１５（１５Ａ〜１５Ｎ）からのアクセス要求を受信すると、認証手段２４がユーザＩＤを要求する認証ファイルを作成して当該モバイル端末１５（１５Ａ〜１５Ｎ）に送信する（Ｓ２１）。ここで、アクセス要求があったモバイル端末１５（１５Ａ〜１５Ｎ）に対して通信プロトコルに沿って通信先アドレスが決定され、当該通信先アドレスが通信手段２３において一時保存される。
【００２９】
続いて、モバイル端末１５（１５Ａ〜１５Ｎ）よりユーザＩＤが送信されて取得すると（Ｓ２３）、認証を行い正規か不正かを判断する（Ｓ２４）。例えば、投票券情報ＤＢ３１に該当のユーザＩＤが存在するか否か、関連付けられたレースＩＤより該当日時が適正か否かを判断して認証を行う。なお、当該レース情報の提供をオープンとする場合には当該システムにおける認証手段２４は不要であり、アクセスに対しての認証も行わないこととしてもよい。
【００３０】
上記認証において正規であると認証した場合、配信ファイル作成手段２８が購入投票券のレースＩＤを要求するレース特定ファイルを作成して該当のモバイル端末１５（１５Ａ〜１５Ｎ）に送信する（Ｓ２５）。当該モバイル端末１５（１５Ａ〜１５Ｎ）よりレースＩＤが送信されて取得すると（Ｓ２６）、当該取得したレースＩＤに対応するレース映像を映像ＤＢ３２より抽出し、当該レース映像の送信ファイルを作成して当該モバイル端末１５（１５Ａ〜１５Ｎ）に送信する（Ｓ２７）。
【００３１】
そして、レース映像の送信が終了すると（Ｓ２８）、当該レースＩＤに対応した購入投票券の当たり、外れを投票券判定手段２９に行わせ、その判定結果（払戻金も含む）を示した送信ファイルを作成して当該モバイル端末１５（１５Ａ〜１５Ｎ）に送信する（Ｓ２９）。その後、次のレースＩＤを要求させるレース特定ファイルを作成して当該モバイル端末１５（１５Ａ〜１５Ｎ）に送信し（Ｓ３０）、要求レースがあれば（Ｓ３１）、Ｓ２６〜Ｓ３０を繰り返し、要求レースがなければ（Ｓ３１）接続回線を遮断して終了する。
【００３２】
一方、上記Ｓ２４の認証において、ユーザＩＤが存在しない場合には、所定回数を設定し、その回数分だけさらにユーザＩＤを要求する認証ファイルを作成して当該モバイル端末１５（１５Ａ〜１５Ｎ）に送信する（Ｓ３２，Ｓ２２，Ｓ２３）。所定回数を超えた場合には（Ｓ３２）、アクセス不能とするファイルを作成して当該モバイル端末１５（１５Ａ〜１５Ｎ）に送信（Ｓ３３）し、接続回線を遮断して終了する。
【００３３】
なお、上記例では、アクセス要求したモバイル端末１５（１５Ａ〜１５Ｎ）に対して一のレース情報を配信するためのものとして一のレースＩＤを要求する場合を示したが、全部または所望の複数のレース映像の配信を行うこととした場合には複数のレースＩＤ、またはレース場コードとレース日時情報を要求することとしてもよいものである。
【００３４】
このように、投票券購入者が所望のレースを観戦する場合に予約録画することなく、またモバイル端末１５（１５Ａ〜１５Ｎ）側で特に記憶領域を必要とさせずに、レース終了後の適時に所望するレース単位または複数若しくは全部のレース情報を提供可能とすることができ、利用に際して利便性を向上させることができるものである。
【産業上の利用可能性】
【００３５】
本発明のレース情報提供システムは、アクセス可能な端末に、競馬、競輪、競艇、オート等のレース情報をレース終了後の適時に所望されるレース情報で提供する場合に適する。
【図面の簡単な説明】
【００３６】
【図１】本発明に係るレース情報提供システムが適用されるネットワーク接続状況の模式図である。
【図２】本発明に係るレース情報提供システムのブロック構成図である。
【図３】図２における投票券情報ＤＢに格納される投票券情報の一例の概念図である。
【図４】図２における映像ＤＢに格納される映像情報の一例の概念図である。
【図５】図２におけるレース結果ＤＢに格納されるレース結果情報の一例の概念図である。
【図６】図２における投票券情報ＤＢおよび映像ＤＢに格納される投票券情報および映像情報の作成編集の処理フローチャートである。
【図７】本発明に係るレース情報提供の処理フローチャートである。
【符号の説明】
【００３７】
１１            レース情報提供サーバ
１２            コンピュータネットワーク
１３            投票券購入サーバ
１４            主催元サーバ
１５            モバイル端末
２３            通信手段
２４            認証手段
２６            映像編集手段
２７            ＤＢ編集手段
２８            配信ファイル作成手段
２９            投票券判定手段
３０            ＤＢ管理手段
３１            投票券情報ＤＢ
３２            映像ＤＢ
３３            レース結果ＤＢ
【図１】
2005293073.tif 000003
【図２】
2005293073.tif 000004
【図３】
2005293073.tif 000005
【図４】
2005293073.tif 000006
【図５】
2005293073.tif 000007
【図６】
2005293073.tif 000008
【図７】
2005293073.tif 000009